(57)【特許請求の範囲】
【請求項１】
光を照射する光源と、
前記光源に対応して開口部が設けられた回転板部と、
前記光源から照射された光を反射する第一反射面を有して、前記回転板部に立設される第一反射壁と、
前記光源を挟んで前記第一反射壁と対向して配置され、前記光源から照射された光を反射する第二反射面を有して、前記回転板部に立設されて、前記第一反射壁よりも立設方向への長さが短く形成される第二反射壁と、
前記回転板部を回転駆動させる駆動装置とを具備し、
前記第一反射壁と前記第二反射壁とは、前記開口部の周囲の一部以外を隙間無く囲繞し、
前記第一反射面に照射された光は、前記第一反射面によって反射され、前記第一反射壁と前記第二反射壁との立設方向への長さの差により形成される開口である前記一部を通じて前記第一反射壁と前記第二反射壁との内側から外方へ出射され、
前記第二反射面に照射された光は、前記第一反射面側へ向けて反射されることを特徴とする回転灯装置。
【発明の詳細な説明】
【技術分野】
【０００１】
本発明は、回転灯装置の技術に関する。
【背景技術】
【０００２】
従来、回転灯装置の技術は公知となっている。そして、かかる回転灯装置には、光源と、前記光源の周囲を回動可能に構成されて前記回転灯装置の外部へ光を反射する反射面（反射部材）と、を有するものがある。例えば、特許文献１に記載の如くである。
【０００３】
特許文献１に記載の技術において回転灯装置は、光源と、前記光源の周囲を回動可能に構成されて前記回転灯装置の外部へ光を反射する第一反射面（第一反射部材）と、に加えて、前記光源を挟んで前記第一反射面と対向した位置に前記第一反射面と共に前記光源の周囲を回動可能に構成される第二反射面（第二反射部材）を配設している。
【０００４】
このような構成によって、光源から照射された光のうち第一反射面と反対方向へ向かう光を、第二反射面によって前記第一反射面側へ向けて反射させている。その結果、光源から照射された光を、効率よく第一反射面へ集光させることができる。
【先行技術文献】
【特許文献】
【０００５】
【特許文献１】特開２０１０−２４００６０号公報
【発明の概要】
【発明が解決しようとする課題】
【０００６】
しかしながら、特許文献１に記載の技術において第二反射面は、第一反射面から離間した位置に配置されると共に比較的小さい部材により形成されている。したがって、第二反射面と第一反射面との間には大きな開口が存在するので、光源から照射された光のうち一部の光は前記第一反射面及び前記第二反射面のいずれの反射面にも照射されず前記開口を通じて直接外部に抜けることとなった。つまり、特許文献１に記載の技術では、光源から照射された光を、十分に効率よく第一反射面へ集光させることができないという問題点があった。
【０００７】
本発明は上記のような問題点に鑑みてなされたものであり、その解決しようとする課題は、光源から照射された光を回転灯装置の外部へ光を反射する反射面へ効率よく集光させて、より明るく発光することができる回転灯装置を提供するものである。
【課題を解決するための手段】
【０００８】
本発明の解決しようとする課題は以上の如くであり、次にこの課題を解決するための手段を説明する。
【０００９】
即ち、請求項１においては、光を照射する光源と、前記光源に対応して開口部が設けられた回転板部と、前記光源から照射された光を反射する第一反射面を有して、前記回転板部に立設される第一反射壁と、前記光源を挟んで前記第一反射壁と対向して配置され、前記光源から照射された光を反射する第二反射面を有して、前記回転板部に立設されて、前記第一反射壁よりも立設方向への長さが短く形成される第二反射壁と、前記回転板部を回転駆動させる駆動装置とを具備し、前記第一反射壁と前記第二反射壁とは、前記開口部の周囲の一部以外を隙間無く囲繞し、前記第一反射面に照射された光は、前記第一反射面によって反射され、前記第一反射壁と前記第二反射壁との立設方向への長さの差により形成される開口である前記一部を通じて前記第一反射壁と前記第二反射壁との内側から外方へ出射され、前記第二反射面に照射された光は、前記第一反射面側へ向けて反射されるものである。
【発明の効果】
【００１２】
本発明の効果として、以下に示すような効果を奏する。
【００１３】
本発明において、回転灯装置は、光源から照射された光を効率よく第一反射面へ集光させて、より明るく発光することができる。
【図面の簡単な説明】
【００１４】
【図１】本発明の一実施形態に係る回転灯装置を備えた遊技機の全体的な構成を示した正面図。
【図２】同じく、遊技機の窓枠が開放された状態を示した前方斜視図。
【図３】同じく、遊技盤を示した正面図。
【図４】本発明の一実施形態に係る回転灯装置を示した後方斜視図。
【図５】同じく、背面図。
【図６】同じく、側面図。
【図７】同じく、図５におけるＡ−Ａ線矢視側面断面図。
【図８】同じく、平面図。
【図９】同じく、図５におけるＢ−Ｂ線矢視平面断面図。
【図１０】同じく、第一反射面と第二反射面（第三反射面及び第四反射面）との配置構成を示した平面断面模式図。
【図１１】同じく、光源から照射された光の第一反射面と第三反射面及び第四反射面とによる反射経路を示した側面断面模式図。
【図１２】同じく、光源から照射された光の第三反射面による反射経路を示した平面断面模式図。
【図１３】同じく、光源から照射された光の第四反射面による反射経路を示した平面断面模式図。
【図１４】第三反射面及び第四反射面を有さない場合における光源から照射された光の反射経路を示した側面断面模式図。
【発明を実施するための形態】
【００１５】
まず、本発明に係る遊技機の一実施形態である遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１６】
遊技機１は、図１から図３が示すように、主として、外枠２と、中枠３と、窓枠４と、により構成される枠体に、各種の遊技部品が取り付けられて形成される。
【００１７】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１８】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１９】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００２０】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００２１】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２２】
次に、遊技盤６の構成について、図３を用いてさらに詳細に説明する。
【００２３】
遊技盤６は、図３に示すように、遊技板１０と、ガイドレール１１と、センター役物１２と、図柄表示装置１３と、可変入賞装置１４と、大入賞装置１５と、アウト口１６と、回転灯装置１００等により構成される。
【００２４】
遊技板１０は、四隅が適宜に切り欠けられた略平板状に形成される部材である。遊技板１０には、遊技盤６を構成する各種の遊技部品が取り付けられる。
【００２５】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２６】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２７】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２８】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の右部であってセンター役物１２の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２９】
大入賞装置１５は、所定の大当たり抽選により大当たりが選択されると、大入賞口１５ａを開放して遊技球が入球（入賞）可能に構成される装置である。大入賞装置１５は、遊技領域２５の右下部であって可変入賞装置１４の左下方に配置される。なお、大入賞装置１５は、開放した大入賞口１５ａに遊技球が入球すると図示せぬ賞球払出装置によって所定数の遊技球（賞球）が払い出されるように構成される。
【００３０】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００３１】
次に、回転灯装置１００の構成について詳細に説明する。
【００３２】
図３から図９に示す回転灯装置１００は、液晶画面２６に表示される図柄遊技に応じて駆動し、光を回転させて遊技者に視覚的な印象（インパクト）を与えるための装置である。図３に示すように、回転灯装置１００は、正面視で遊技領域２５の中央下部であって、センター役物１２とアウト口１６との間に配置される。回転灯装置１００は、主として、ベース部材３０と、駆動装置４０と、歯車部材５０と、回転部材６０と、ＬＥＤ７０と、反射部材１１０と、により構成される。
【００３３】
図４から図９に示すベース部材３０は、回転灯装置１００の主たる構造体となる部材である。ベース部材３０には、回転灯装置１００を構成する各部材、例えば歯車部材５０や回転部材６０や反射部材１１０等が配設される。ベース部材３０は、主として、外周壁部３１と、中央支持部３２と、により構成される。
【００３４】
ベース部材３０の外周壁部３１は、ベース部材３０の外壁（外周部分）を成すものである。外周壁部３１は、その軸心方向を上下方向とした略円筒状に形成される。外周壁部３１の前下部には、取付板部３３が配設される。取付板部３３は、その板面を上下方向へ向けた略平板状に形成され、外周壁部３１の前下部から前方へ向けて突出される。取付板部３３には、複数の取付孔３６が上下方向に貫通して形成される。外周壁部３１（ひいては、回転灯装置１００）は、複数の取付孔３６に螺挿される図示せぬネジを介して遊技盤６の適宜な取付位置に取り付けられる。
【００３５】
また、ベース部材３０の外周壁部３１には、後側切欠部３４が形成される。後側切欠部３４は、図５に示すように、外周壁部３１の後側面を下端部から上方へ向けて、背面視で左右方向に細長い略矩形状に切り欠いて形成される。
【００３６】
ベース部材３０の中央支持部３２は、図７に示すように、外周壁部３１の内側であって上下方向の略中央に配置される。中央支持部３２は、外周壁部３１の内周面から中央へ向けて延設される。中央支持部３２の中央には、上下方向に貫通して開口された中央開口部３５が形成される。中央開口部３５は、その周縁部が上下方向に突出され、軸心方向を上下方向とした略円筒状に形成される。
【００３７】
図４に示す駆動装置４０は、反射部材１１０を回転させるための装置である。駆動装置４０は、主として、モータ４１と、駆動歯車４２と、により構成される。
【００３８】
駆動装置４０のモータ４１は、反射部材１１０を回転させるための駆動源である。モータ４１は、ベース部材３０の後下方に配置される。モータ４１の駆動力は、出力軸４３により外部へ伝達される。出力軸４３は、その軸心方向を上下方向としてモータ４１の上側面から上方へ向けて突出される。
【００３９】
駆動装置４０の駆動歯車４２は、モータ４１からの駆動力が伝達される平歯車である。駆動歯車４２の外周には、歯車が形成される。駆動歯車４２は、その板面を上下方向へ向け、モータ４１の上方に配置される。駆動歯車４２の中心には、出力軸４３の上端部が相対回転不能に固定される。駆動歯車４２は、出力軸４３を中心として水平方向に回転可能に構成される。駆動歯車４２の前側の歯車は、ベース部材３０の外周壁部３１の後側切欠部３４を通じて当該外周壁部３１の内側に配置される。
【００４０】
図４、図５、及び図７に示す歯車部材５０は、駆動装置４０からの駆動力が駆動歯車４２から伝達される部材である。歯車部材５０は、主として、歯車部５１と、歯車筒部５２と、により構成される。
【００４１】
歯車部材５０の歯車部５１は、平歯車状に形成される。歯車部５１の外周には、歯車が形成される。歯車部５１は、その板面を上下方向へ向け、外周壁部３１の内側であって中央支持部３２の下方に配置される。歯車部５１の中央には、上下方向に貫通して開口された歯車開口部５４が形成される。歯車部５１の後側の歯車は、駆動歯車４２の前側の歯車に歯合される。
【００４２】
歯車部材５０の歯車筒部５２は、その軸心方向を上下方向とした略円筒状に形成される。歯車筒部５２は、歯車部５１の歯車開口部５４の周縁部から上方へ向けて延設される。歯車筒部５２は、歯車部５１と相対回転不能に形成される。歯車筒部５２の外径は、中央支持部３２の中央開口部３５の内径よりも若干小さく形成される。
【００４３】
このように、歯車部材５０は、全体として側面視で上方へ向けて突出した凸状に形成される。また、歯車部材５０には、歯車筒部５２の内周面と歯車部５１の歯車開口部５４とが上下に連設されて、上下方向に略円筒状に貫通した歯車貫通孔５３（図７参照）が形成される。
【００４４】
図７に示す回転部材６０は、駆動装置４０からの駆動力が歯車部材５０から伝達される部材である。回転部材６０は、主として、回転板部６１と、回転筒部６２と、により構成される。
【００４５】
回転部材６０の回転板部６１は、その板面を上下方向へ向けた略平板状であって略環状に形成される。回転板部６１は、外周壁部３１の内側であって中央支持部３２の上方に配置される。より詳細には、回転板部６１は、中央支持部３２の中央開口部３５の周縁部の上側面に摺動可能に載置される。回転板部６１の中央には、上下方向に貫通して開口された回転開口部６４が形成される。
【００４６】
回転部材６０の回転筒部６２は、その軸心方向を上下方向とした略円筒状に形成される。回転筒部６２は、回転板部６１の回転開口部６４の周縁部から下方へ向けて延設される。回転筒部６２は、回転板部６１と相対回転不能に形成される。回転筒部６２の外径は、歯車部材５０の歯車貫通孔５３の内径よりも若干小さく形成される。
【００４７】
このように、回転部材６０は、全体として側面視で下方へ向けて突出した凸状に形成される。また、回転部材６０には、回転部材６０の回転開口部６４と回転筒部６２の内周面とが上下に連設されて、上下方向に略円筒状に貫通した回転貫通孔６３が形成される。
【００４８】
また、回転部材６０の回転筒部６２は、歯車部材５０の歯車貫通孔５３の内側に上方から挿入される。そして、歯車部材５０と回転部材６０とは、歯車部材５０の歯車貫通孔５３及び回転部材６０の回転貫通孔６３の軸心を重複させて、相互に相対回転不能に係合される。このように、回転部材６０と歯車部材５０は、全体として側面視で側方向へ向けて開放された略Ｈ字状に形成される。
【００４９】
また、回転部材６０の回転板部６１と歯車部材５０の歯車部５１との間には、中央支持部３２（より詳細には、中央開口部３５の周縁部）が、介設される。なお、上述の如く、回転部材６０の回転板部６１は、中央開口部３５の周縁部の上側面に摺動可能に載置される。したがって、回転部材６０及び歯車部材５０は、中央支持部３２に対して摺動可能（相対回転可能）に支持されることとなる。
【００５０】
図５から図９に示すＬＥＤ７０は、回転灯装置１００の発光源となる部材である。ＬＥＤ７０は、その発光面７１から光を照射可能に構成される。ＬＥＤ７０は、その発光面７１を上方に向け、歯車部材５０の下方であって回転部材６０の回転貫通孔６３の軸心の延長線上に配置される。ＬＥＤ７０は、平面視で回転貫通孔６３の内側に全部が収容される。このような構成によって、ＬＥＤ７０（より詳細には、ＬＥＤ７０の発光面７１）から光が照射されると、照射された光が回転部材６０の回転貫通孔６３を通じて当該回転部材６０の上方に配置された反射部材１１０を照射可能となる。
【００５１】
図４から図９に示す反射部材１１０は、ＬＥＤ７０から照射された光を反射させるための部材である。反射部材１１０の表側面には、アルミや銀やニッケル等の金属メッキが施される。反射部材１１０は、主として、反射壁台１２０と、第一反射壁１３０と、第二反射壁１４０と、により構成される。
なお、反射部材１１０は水平方向に回転可能に構成されるが、図面に示した状態に基づいてその配置構成を説明する。
【００５２】
反射壁台１２０は、第一反射壁１３０及び第二反射壁１４０を下方から支持する部材（台）である。反射壁台１２０は、その板面を上下方向へ向けた略平板状であって略環状に形成される。反射壁台１２０は、回転部材６０の回転板部６１の上側面を被覆して、当該回転板部６１に相対回転不能に係合される。反射壁台１２０の中央には、上下方向に貫通して開口された壁台開口部１２１が形成される。壁台開口部１２１は、平面視でその内側に回転部材６０の回転貫通孔６３の全部を収容するように形成される。
【００５３】
第一反射壁１３０は、下側が開放された略半球体状に形成された上部材と、前記上部材の下方に配置され軸心方向を上下方向として略円筒状に形成された下部材とが、上下に一体的に連結され、その後側半分が切り落とされた形状に形成される。なお、後側半分が切り落とされた状態の前記上部材を上部材１３１とし、後側半分が切り落とされた状態の前記下部材を下部材１３２とする。
第一反射壁１３０は、反射壁台１２０の上側面から上方（鉛直方向）へ向けて立設される。第一反射壁１３０は、平面視で反射壁台１２０の径方向の略中央に配置される。また、第一反射壁１３０は、下部材１３２の軸心が回転部材６０の回転貫通孔６３の軸心の延長線上に配置される。第一反射壁１３０は、反射壁台１２０に相対回転不能に接続される。
【００５４】
第一反射壁１３０は、ＬＥＤ７０から照射された光を反射する第一反射面１３０ａを有する。第一反射面１３０ａは、第一反射壁１３０の内側面（図示では、後側面）により形成される。図７及び図８に示すように、（上部材１３１に形成された）第一反射面１３０ａは、ＬＥＤ７０の上方（より詳細には、ＬＥＤ７０の前側半分）に覆いかぶさるように形成される。また、上述の如く、第一反射壁１３０は下部材１３２の軸心が回転部材６０の回転貫通孔６３の軸心の延長線上に配置されるので、平面視でＬＥＤ７０の中心から第一反射面１３０ａまでの長さが一定の長さとなる。これによって、平面視でＬＥＤ７０から第一反射面１３０ａに照射される光の量が均一となる。
【００５５】
第二反射壁１４０は、主として、第三反射壁１５０と、第四反射壁１６０・１６０と、により構成される。
【００５６】
第三反射壁１５０は、その軸心方向を上下方向として略円筒状に形成された部材の、第一反射面１３０ａ側となる略前側半分が切り落とされた形状に形成される。第三反射壁１５０は、反射壁台１２０の上側面から上方（鉛直方向）へ向けて立設される。第三反射壁１５０の高さ（立設方向への長さ）は、第一反射壁１３０の高さ（立設方向への長さ）よりも低く（短く）形成される。より詳細には、第三反射壁１５０の高さは、第一反射壁１３０の下部材１３２の高さよりも低く（短く）形成される。第三反射壁１５０は、平面視で反射壁台１２０の径方向の中心付近に配置される。また、第三反射壁１５０は、当該第三反射壁１５０の軸心（略前側半分が切り落とされる前の略円筒状に形成された部材の軸心）が、回転部材６０の回転貫通孔６３の軸心の延長線上に配置される。第三反射壁１５０は、反射壁台１２０に相対回転不能に接続される。
【００５７】
第三反射壁１５０は、ＬＥＤ７０から照射された光を反射する第三反射面１５０ａを有する。第三反射面１５０ａは、第三反射壁１５０の内側面（図示では、前側面）により形成され、平面視でＬＥＤ７０を挟んで第一反射面１３０ａと対向して配置される。第三反射面１５０ａは、平面視（立設方向の投影視）で第一反射面１３０ａ側（前側）が開放された（外方に向けて凸となる）略円弧状に形成される。また、上述の如く、また、第三反射壁１５０は当該第三反射壁１５０の前記軸心が回転部材６０の回転貫通孔６３の軸心の延長線上に配置されるので、平面視でＬＥＤ７０の中心から第三反射面１５０ａまでの長さが一定の長さとなる。これによって、平面視でＬＥＤ７０から第三反射面１５０ａに照射される光の量が均一となる。
【００５８】
第四反射壁１６０・１６０は、その板面を前後方向へ向けた略平板状に形成される。第四反射壁１６０・１６０は、反射壁台１２０の上側面から上方（鉛直方向）へ向けて立設される。第四反射壁１６０・１６０は、２つ設けられ、平面視で第三反射壁１５０を中央に挟んだ左右両側にそれぞれ配置される。なお、第四反射壁１６０・１６０の高さ（立設方向への長さ）は、第一反射壁１３０の高さ（立設方向への長さ）よりも低く（短く）形成される。より詳細には、第四反射壁１６０・１６０の高さは、第一反射壁１３０の下部材１３２の高さよりも低く（短く）、第三反射壁１５０の高さと同一に形成される。第四反射壁１６０・１６０は、第三反射壁１５０の左右の端部から左右方向へ向けてそれぞれ延設され、第一反射壁１３０の左右の端部にそれぞれ接続される。第四反射壁１６０・１６０は、反射壁台１２０に相対回転不能に接続される。
【００５９】
第四反射壁１６０・１６０は、ＬＥＤ７０から照射された光を反射する第四反射面１６０ａ・１６０ａを有する。第四反射面１６０ａ・１６０ａは、第四反射壁１６０・１６０の第一反射面１３０ａ側面（図示では、前側面）により形成される。第四反射面１６０ａ・１６０ａは、平面視（立設方向の投影視）で直線状に形成される。また、第四反射面１６０ａ・１６０ａは、図１０に示すように、ＬＥＤ７０よりも後方に配置される。なお、第四反射面１６０ａ・１６０ａは、ＬＥＤ７０の中心よりも後方に配置されることが望ましい。
【００６０】
このように、第一反射壁１３０と第三反射壁１５０及び第四反射壁１６０・１６０とは相互に接続されて、軸心方向を上下方向として上下側面がそれぞれ開口された略筒状に形成される。また、前記下側の開口部は、反射壁台１２０の壁台開口部１２１に接続される。換言すれば、第一反射壁１３０と第三反射壁１５０及び第四反射壁１６０・１６０とは、反射壁台１２０の壁台開口部１２１の周縁部から上方（鉛直方向）へ向けて立設される。そして、上述の如く、平面視で回転貫通孔６３の内側にＬＥＤ７０の全部が収容される。つまり、第一反射壁１３０と第三反射壁１５０及び第四反射壁１６０・１６０とは、平面視で連続的に形成されて全体として無端の環状をなし、回転板部６１の回転開口部６４の周囲（ＬＥＤ７０の周囲）を隙間無く囲繞している。
【００６１】
また、図５から図７に示すように、第三反射壁１５０及び第四反射壁１６０・１６０の上方には、第一反射壁１３０の高さと当該第三反射壁１５０及び当該第四反射壁１６０・１６０の高さとの差によって開口部１３３が形成される。開口部１３３は、第一反射壁１３０の後端部で、後方を臨むように開口している。そして、ＬＥＤ７０によって回転部材６０の回転貫通孔６３を通じて当該回転部材の上方に照射された光は、反射壁台１２０の壁台開口部１２１を通じて第一反射壁１３０と第三反射壁１５０及び第四反射壁１６０・１６０との内側に照射された後、開口部１３３を通じて外部へ照射されるように構成される。
【００６２】
次に、回転灯装置１００の動作態様について説明する。
【００６３】
まず、駆動装置４０のモータ４１が駆動されると、出力軸４３を介して当該モータ４１からの駆動力が駆動歯車４２に伝達される。駆動歯車４２に駆動力が伝達されると、当該駆動歯車４２は出力軸４３の軸心を中心として水平方向に回転する。駆動歯車４２に伝達された駆動力は、次に歯車部材５０に伝達される（図４参照）。歯車部材５０は、歯車貫通孔５３の軸心を中心として水平方向に回転する。歯車部材５０に伝達された駆動力は、次に回転部材６０に伝達される。回転部材６０は、回転貫通孔６３の軸心を中心として水平方向に回転する。なお、歯車部材５０と回転部材６０とは相対回転不能に係合されているため、当該歯車部材５０と当該回転部材６０とは一体的に回転する。回転部材６０に伝達された駆動力は、次に反射部材１１０に伝達される。反射部材１１０は、反射壁台１２０が回転部材６０の回転板部６１に相対回転不能に係合されており、回転部材６０の回転貫通孔６３の軸心を中心として水平方向に回転する。
【００６４】
このように、反射部材１１０は、モータ４１からの駆動力が伝達されると回転部材６０の回転貫通孔６３の軸心を中心として水平方向に回転する。つまり、モータ４１の駆動力が伝達されると、第一反射壁１３０と第三反射壁１５０と第四反射壁１６０・１６０とが平面視でＬＥＤ７０の周囲を回動し、その回動に応じて開口部１３３がＬＥＤ７０の周囲を回動するように構成される。そして、駆動装置４０のモータ４１が駆動された状態でＬＥＤ７０が照射されると、開口部１３３を通じて外部へ照射される光を当該開口部１３３の回動によって水平方向に回転させることができる。
【００６５】
次に、ＬＥＤ７０から照射された光の反射面１３０ａ・１５０ａ・１６０ａによる反射経路について詳細に説明する。
【００６６】
まず、第一反射面１３０ａと第三反射面１５０ａ及び第四反射面１６０ａ・１６０ａとの配置構成について、図１０を用いてさらに詳細に説明する。
【００６７】
第三反射面１５０ａは、平面視でＬＥＤ７０を挟んで第一反射面１３０ａと対向して配置される。より詳細には、第三反射面１５０ａは、第一反射面１３０ａのうち、平面視で当該第三反射面１５０ａの左端部１５１とＬＥＤ７０の中心点Ｃとを結んだ直線の延長線上にあたる第一反射面１３０ａの点Ｘと、平面視で当該第三反射面１５０ａの右端部１５２とＬＥＤ７０の中心点Ｃとを結んだ直線の延長線上にあたる第一反射面１３０ａの点Ｙと、の間の面に、ＬＥＤ７０を挟んで対向して配置される。
なお、以下では、第一反射面１３０ａのうち、平面視でＬＥＤ７０を挟んで第三反射面１５０ａと対向して配置される面が配置される領域を、第一反射面中央領域α１と称する。
【００６８】
第四反射面１６０ａ・１６０ａは、第三反射面１５０ａと異なり、平面視でＬＥＤ７０を挟んで第一反射面１３０ａと対向して配置されていない。したがって、第一反射面１３０ａは、第三反射面１５０ａ及び第四反射面１６０ａ・１６０ａに対して、ＬＥＤ７０を挟んで対向する面（即ち、図１０にて示す第一反射面１３０ａのうち、点Ｘと点Ｙとの内側の面）と、対向しない面（即ち、図１０にて示す第一反射面１３０ａのうち、点Ｙより左側の面及び点Ｘより右側の面）と、を有することとなる。なお、以下では、図１０にて示す第一反射面１３０ａのうち、点Ｙより左側の面及び点Ｘより右側の面が配置される領域を、第一反射面縁側領域β１・β１と称する。つまり、第一反射面縁側領域β１・β１は、第一反射面中央領域α１の左右両側にそれぞれ配置される領域となる。
【００６９】
次に、図１１を用いて、側面視におけるＬＥＤ７０から照射された光の反射面１３０ａ・１５０ａ・１６０ａによる反射経路について詳細に説明する。
【００７０】
ＬＥＤ７０から光が照射されると、その照射された光は照射範囲（図示における左右方向の長さ）を拡張しながら（拡散しながら）上方へと向かう。なお、以下の説明では、図１１に示すように、ＬＥＤ７０の照射範囲について、ＬＥＤ７０の中心から前側の範囲（領域）を前側照射領域Ｆ、ＬＥＤ７０の中心から後側の範囲（領域）を後側照射領域Ｂと称する。
【００７１】
前側照射領域Ｆにおける照射された光（一例として、図１１にて示す照射光Ａ２）は、第一反射壁１３０の第一反射面１３０ａによって反射され、開口部１３３を通じて第一反射壁１３０と第三反射壁１５０及び第四反射壁１６０・１６０との内側から外部へ出射される。
【００７２】
一方、後側照射領域Ｂにおける照射された光（一例として、図１１にて示す照射光Ａ１）は、まず第三反射面１５０ａ又は第四反射面１６０ａ・１６０ａによって、第一反射面１３０ａ側へ向けて反射される。そして、第一反射面１３０ａ側へ向けて反射された光は、第一反射壁１３０の第一反射面１３０ａによって反射され、開口部１３３を通じて第一反射壁１３０と第三反射壁１５０及び第四反射壁１６０・１６０との内側から外部へ出射される。
【００７３】
このような構成によって、第一反射面１３０ａは、ＬＥＤ７０から直接的に照射された光だけではなく、間接的に照射された光（第三反射面１５０ａ及び第四反射面１６０ａ・１６０ａによって反射された光）を集光させて、開口部１３３を通じて第一反射壁１３０と第三反射壁１５０及び第四反射壁１６０・１６０との内側から外方へ向けて反射させることができる。したがって、図１４に示すように、例えば第三反射面１５０ａ及び第四反射面１６０ａ・１６０ａを有さない場合に比べて、第一反射面１３０ａから外部へ反射させる光の量を多くすることができる（明るく発光することができる）。
【００７４】
次に、図１２及び図１３を用いて、平面視におけるＬＥＤ７０から照射された光の反射面１５０ａ・１６０ａによる反射経路について詳細に説明する。
なお、図１２及び図１３は、第一反射面１３０ａによる反射経路を省略し、主に第三反射面１５０ａ又は第四反射面１６０ａ・１６０ａによる反射経路について示す図である。
【００７５】
まず、図１２に示すように、ＬＥＤ７０により第三反射面１５０ａに光が照射された場合、当該第三反射面１５０ａにより反射された光（一例として、図１２にて示す照射光Ｂ１・Ｂ２・Ｂ３）は、ＬＥＤ７０を挟んで当該第三反射面１５０ａと対向して配置された第一反射面１３０ａ側、つまり第一反射面中央領域α１側へ向けて反射される。
【００７６】
このような構成によって、第一反射面中央領域α１においては、ＬＥＤ７０から直接的に照射された光だけではなく、間接的に照射された光（第三反射面１５０ａによって反射された光）を集光させて、開口部１３３を通じて第一反射壁１３０と第三反射壁１５０及び第四反射壁１６０・１６０との内側から外方へ向けて反射させることができる。換言すれば、第三反射面１５０ａが無ければ第一反射面１３０ａへ向けて反射されずに外部へ漏れることとなった光、具体的には図１２にて示す領域α２側へ照射された光を第一反射面１３０ａ（より詳細には、第一反射面中央領域α１）に効率よく集光させて、当該第一反射面１３０ａから外部へ反射させる光の量を多くすることができる（明るく発光することができる）。
【００７７】
次に、図１３に示すように、ＬＥＤ７０により第四反射面１６０ａ・１６０ａに光が照射された場合、当該第四反射面１６０ａ・１６０ａにより反射された光（一例として、図１３にて示す照射光Ｃ１・Ｃ２）は、ＬＥＤ７０を挟んで当該第四反射面１６０ａ・１６０ａと対向して配置されていない第一反射面１３０ａ側、つまり第一反射面縁側領域β１・β１側へ向けて反射される。
【００７８】
このような構成によって、第一反射面縁側領域β１・β１においては、ＬＥＤ７０から直接的に照射された光だけではなく、間接的に照射された光（第四反射面１６０ａ・１６０ａによって反射された光）を集光させて、開口部１３３を通じて第一反射壁１３０と第三反射壁１５０及び第四反射壁１６０・１６０との内側から外方へ向けて反射させることができる。換言すれば、第四反射面１６０ａ・１６０ａが無ければ第一反射面１３０ａへ向けて反射されずに外部へ漏れることとなった光、具体的には図１３にて示す領域β２側へ照射された光を第一反射面１３０ａ（より詳細には、第一反射面縁側領域β１・β１）に効率よく集光させて、当該第一反射面１３０ａから外部へ反射させる光の量を多くすることができる（明るく発光することができる）。
【００７９】
また、このような構成によって、ＬＥＤ７０から照射された光のうち、第一反射面１３０ａに照射される光以外の光を、第三反射面１５０ａ及び第四反射面１６０ａ・１６０ａによって漏れなく第一反射面１３０ａへ向けて反射させることができる。したがって、ＬＥＤ７０から照射された光が、第一反射面１３０ａに反射されず第一反射壁１３０と第三反射壁１５０及び第四反射壁１６０・１６０との内側から外方へ向けて抜け難くして、当該第一反射面１３０ａに効率よく集光させて、当該第一反射面１３０ａから外部へ反射させる光の量を多くすることができる（明るく発光することができる）。
【００８０】
また、このような構成によって、第一反射面１３０ａのうち、当該第一反射面１３０ａの中央部分（第一反射面中央領域α１）だけではなく、当該第一反射面１３０ａの縁側部分（第一反射面縁側領域β１・β１）であっても、第三反射面１５０ａ及び第四反射面１６０ａ・１６０ａにより反射された光を集光することができる。つまり、第一反射面１３０ａの全体にわたって第三反射面１５０ａ及び第四反射面１６０ａ・１６０ａより反射された光を集光することができ、第一反射面１３０ａにより反射された光によって（明るい部分と暗い部分との差が生じ難く）全体的に明るく発光することができる。
【００８１】
なお、回転灯装置１００は、本発明に係る「回転灯装置」の一実施形態である。ＬＥＤ７０は、本発明に係る「光源」の一実施形態である。また、回転板部６１は、本発明に係る「回転板部」の一実施形態である。また、回転開口部６４は、本発明に係る「開口部」の一実施形態である。また、第一反射壁１３０は、本発明に係る「第一反射壁」の一実施形態である。また、第一反射面１３０ａは、本発明に係る「第一反射面」の一実施形態である。また、第二反射壁１４０は、本発明に係る「第二反射壁」の一実施形態である。また、第三反射壁１５０は、本発明に係る「第三反射壁」の一実施形態である。また、第四反射壁１６０・１６０は、本発明に係る「第四反射壁」の一実施形態である。また、第三反射面１５０ａ及び第四反射面１６０ａ・１６０ａは、本発明に係る「第二反射面」と、「第三反射面」及び「第四反射面」の一実施形態である。
【００８２】
また、本実施形態において、第二反射壁１４０（第三反射壁１５０及び第四反射壁１６０・１６０）は鉛直方向へ向けて立設されているが、鉛直方向に限定するものではない。即ち、第二反射壁１４０（第三反射壁１５０及び第四反射壁１６０・１６０）は、前後方向に傾斜していてもよい。
【００８３】
以上のように、回転灯装置１００は、
光を照射するＬＥＤ７０（光源）と、
前記ＬＥＤ７０（光源）に対応して回転開口部６４が設けられた回転板部６１と、
前記ＬＥＤ７０（光源）から照射された光を反射する第一反射面１３０ａを有して、前記回転板部６１に立設される第一反射壁１３０と、
前記ＬＥＤ７０（光源）を挟んで前記第一反射壁１３０と対向して配置され、前記ＬＥＤ７０（光源）から照射された光を反射する第三反射面１５０ａ及び第四反射面１６０ａ・１６０ａ（第二反射面）を有して、前記回転板部６１に立設されて、前記第一反射壁１３０よりも前記ＬＥＤ７０（光源）からの立設方向への長さが短く形成される第二反射壁１４０と、
前記回転板部６１を回転駆動させる駆動装置４０と、を具備し、
前記第一反射壁１３０と前記第二反射壁１４０とは、前記回転開口部６４の周囲を隙間無く囲繞し、
前記第一反射面１３０ａに照射された光は、前記第一反射面１３０ａによって反射され、前記第一反射壁１３０と前記第二反射壁１４０との立設方向への長さの差により形成される開口部１３３を通じて前記第一反射壁１３０と前記第二反射壁１４０との内側から外方へ出射され、
前記第三反射面１５０ａ及び前記第四反射面（第二反射面）に照射された光は、前記第一反射面１３０ａ側へ向けて反射されるものである。
【００８４】
また、回転灯装置１００は、
前記第三反射面１５０ａに照射された光は、前記第一反射面１３０ａのうち前記第三反射面１５０ａと前記ＬＥＤ７０（光源）を挟んで対向する第一反射面中央領域α１へ向けて反射され、
前記第四反射面１６０ａ・１６０ａに照射された光は、前記第一反射面１３０ａのうち前記第三反射面１５０ａと前記ＬＥＤ７０（光源）を挟んで対向する第一反射面中央領域α１以外の第一反射面縁側領域β１・β１へ向けて反射されるものである。
【００８５】
また、回転灯装置１００は、
前記第三反射面１５０ａは、前記ＬＥＤ７０（光源）を挟んで前記第一反射面１３０ａと対向して配置され、前記立設方向の投影視で外方に向けて凸となる円弧状であり、
前記第四反射面１６０ａ・１６０ａは、前記立設方向の投影視で前記第三反射面１５０ａを中央に挟んだ両側に配置されると共に直線状である。
【００８６】
このような構成によって、回転灯装置１００は、ＬＥＤ７０から照射された光を効率よく第一反射面１３０ａへ集光させて、より明るく発光することができる。
【符号の説明】
【００８７】
１：遊技機，６１：回転板部，６４：回転開口部，７０：ＬＥＤ，１００：回転灯装置，１３０：第一反射壁，１３０ａ：第一反射面，１３３：開口部，１４０：第二反射壁，１５０：第三反射壁，１５０ａ：第三反射面，１６０：第四反射壁，１６０ａ：第四反射面，α１：第一反射面中央領域，β１：第一反射面縁側領域
【図１】
0005477335.tif 000002
【図２】
0005477335.tif 000003
【図３】
0005477335.tif 000004
【図４】
0005477335.tif 000005
【図５】
0005477335.tif 000006
【図６】
0005477335.tif 000007
【図７】
0005477335.tif 000008
【図８】
0005477335.tif 000009
【図９】
0005477335.tif 000010
【図１０】
0005477335.tif 000011
【図１１】
0005477335.tif 000012
【図１２】
0005477335.tif 000013
【図１３】
0005477335.tif 000014
【図１４】
0005477335.tif 000015